(57)【要約】【課題】隣接する２つのノブの間を狭くする。【解決手段】スイッチ装置１は、第１の軸線Ｌａに沿ってプリント基板２側に移動可能な第１ノブ４Ａと、第２の軸線Ｌｂに沿ってプリント基板２側に移動可能な第２ノブ４Ｂと、を有する。スイッチ装置１では、第１ノブ４Ａと第２ノブ４Ｂとが、直線Ｌｍ方向で隣接配置されている。第１の軸線Ｌａと第２の軸線Ｌｂは、プリント基板２側に向かうにつれて第１ノブ４Ａと第２ノブ４Ｂの隣接方向の離間距離Ｌｘが大きくなる向きに設定されている。【選択図】図２
2020174025.tif 000002
【特許請求の範囲】
【請求項１】
第１の軸線に沿って基板側に移動可能な第１ノブと、
第２の軸線に沿って前記基板側に移動可能な第２ノブと、を有し、
前記第１ノブと前記第２ノブとが隣接配置されたスイッチ装置であって、
前記第１の軸線と前記第２の軸線は、前記基板側に向かうにつれて前記第１ノブと前記第２ノブの隣接方向の離間距離が大きくなる向きに設定されていることを特徴とするスイッチ装置。
【請求項２】
前記基板に組み付けられて前記基板の上面を覆うカバー部材を有しており、
前記カバー部材には、
前記第１ノブを、前記第１の軸線方向に移動可能に支持する第１ガイドと、
前記第２ノブを、前記第２の軸線方向に移動可能に支持する第２ガイドと、が設けられており、
前記隣接方向の直交方向から見て、前記第１ガイドには前記第１の軸線に沿う溝が形成されており、
前記第１ノブは、前記第１ガイドの溝に係合する突起を有しており、
前記第１ノブは、前記第１ガイドの溝に係合させた前記突起により、前記第１の軸線方向に移動可能であり、
前記隣接方向の直交方向から見て、前記第２ガイドには前記第２の軸線に沿う溝が形成されており、
前記第１ノブは、前記第２ガイドの溝に係合する突起を有しており、
前記第２ノブは、前記第２ガイドの溝に係合させた前記突起により、前記第２の軸線方向に移動可能であることを特徴とする請求項１に記載のスイッチ装置。
【請求項３】
前記隣接方向の直交方向から見て、前記第１ガイドの溝と、前記第２ガイドの溝は、
前記第１ノブと前記第２ノブの前記隣接方向の中心線を挟んで対称に設けられていることを特徴とする請求項２に記載のスイッチ装置。
【請求項４】
前記第１ノブおよび前記第２ノブは、それぞれ、
被押圧部と、
前記被押圧部における前記カバー部材側の面から、前記基板と前記カバー部材との組付方向に延びる操作子と、
前記被押圧部の外周を囲む周壁部と、を有しており、
前記カバー部材には、前記第１ノブの前記操作子が前記組付方向に貫通可能な第１開口部と、前記第２ノブの前記操作子が前記組付方向に貫通可能な第２開口部と、が設けられており、
前記第１ガイドは、前記第１開口部を囲む筒状に形成されており、前記第１ガイドでは、前記直交方向における前記第１開口部の両側に位置する部位の外周に前記溝が形成されており、
前記第２ガイドは、前記第２開口部を囲む筒状に形成されており、前記第２ガイドでは、前記直交方向における前記第２開口部の両側に位置する部位の外周に前記溝が形成されていることを特徴とする請求項３に記載のスイッチ装置。
【請求項５】
前記隣接方向の直交方向から見て、前記第１ガイドにおける前記第２ガイドとは反対側の部位は、前記第１の軸線に平行な傾斜面となっており、
前記隣接方向の直交方向から見て、前記第２ガイドにおける前記第１ガイドとは反対側の部位は、前記第２の軸線に平行な傾斜面となっており、
前記第１ガイドの前記傾斜面と、前記第２ガイドの前記傾斜面には、それぞれ前記傾斜面の長手方向に沿う溝が設けられており、
前記第１ノブと前記第２ノブには、前記傾斜面に設けた溝に係合する突起が設けられていることを特徴とする請求項４に記載のスイッチ装置。
【請求項６】
前記第１ノブの前記操作子と前記第２ノブの前記操作子は、それぞれ、前記カバー部材の内側で、前記基板上に設置されたタクトスイッチに載置されており、
前記タクトスイッチにおける前記操作子が載置された領域には、前記操作子の前記隣接方向への摺動移動を可能にする平坦面となっていることを特徴とする請求項４または請求項５に記載のスイッチ装置。
【発明の詳細な説明】
【技術分野】
【０００１】
本発明は、スイッチ装置に関するものである。
【背景技術】
【０００２】
特許文献１には、２つのノブが隣接して配置されたスイッチ装置が開示されている。
【先行技術文献】
【特許文献】
【０００３】
【特許文献１】国際公開第２０１５／１０４７５８号
【０００４】
このスイッチ装置では、２つのノブの操作方向が同じであり、２つのノブは、互いに平行な軸線方向にそれぞれ移動可能に設けられている。
【発明の概要】
【発明が解決しようとする課題】
【０００５】
この種のスイッチ装置では、隣接して配置された２つのノブは、一方のノブの操作時に、他方のノブが一方のノブの操作に追従して変位しないようにするために、隙間を空けて設けられている。
【０００６】
隣接する２つのノブの間の隙間が広くなると、スイッチ装置の意匠上の制約が大きくなる結果、スイッチ装置のデザインの幅が狭くなる。
そこで、スイッチ装置のデザインの幅を広くするために、隣接する２つのノブの間の隙間をより狭くすることが求められている。
【課題を解決するための手段】
【０００７】
本発明は、
第１の軸線に沿って基板側に移動可能な第１ノブと、
第２の軸線に沿って前記基板側に移動可能な第２ノブと、を有し、
前記第１ノブと前記第２ノブとが隣接配置されたスイッチ装置であって、
前記第１の軸線と前記第２の軸線は、前記基板側に向かうにつれて前記第１ノブと前記第２ノブの隣接方向での離間距離が大きくなる向きに設定されている構成のスイッチ装置とした。
【発明の効果】
【０００８】
本発明によれば、隣接する２つのノブの間の隙間を狭くできる。
【図面の簡単な説明】
【０００９】
【図１】スイッチ装置を説明する図である。
【図２】スイッチ装置の断面図である。
【図３】スイッチ装置の断面図である。
【図４】プリント基板を説明する図である。
【図５】ベースを説明する図である。
【図６】ベースを説明する図である。
【図７】ノブを説明する図である。
【発明を実施するための最良の形態】
【００１０】
以下、本発明の実施形態を説明する。
図１の（Ａ）は、スイッチ装置１の分解斜視図である。図１の（Ｂ）は、スイッチ装置１の斜視図である。
図２の（Ａ）は、スイッチ装置１を図１の（Ｂ）における面Ａに沿って切断した断面図である。図２の（Ｂ）は、図２の（Ａ）においてスイッチ装置１の第２ノブ４Ｂが押圧操作された状態を示した断面図である。
図３の（Ａ）は、スイッチ装置１を図１の（Ｂ）における面Ｂに沿って切断した断面図である。図３の（Ｂ）は、図３の（Ａ）においてスイッチ装置１の第２ノブ４Ｂが押圧操作された状態を示した断面図である。
以下の説明においては、説明の便宜上、スイッチ装置１の各構成要素の位置関係を、図１の（Ａ）におけるノブ４（第１ノブ４Ａ、第２ノブ４Ｂ）側を上方、プリント基板２側を下方として説明する。
【００１１】
図１の（Ａ）に示すようにスイッチ装置１は、タクトスイッチ２１Ａ、２１Ｂが設置されたプリント基板２と、プリント基板２の上面を覆うカバー部材３と、一対のノブ４（第１ノブ４Ａ、第２ノブ４Ｂ）とを有している。
【００１２】
図４に示すようにプリント基板２は、第１ノブ４Ａ、第２ノブ４Ｂ側の上方から見て、長方形形状を成す板状部材である。プリント基板２の上面には、タクトスイッチ２１Ａ、２１Ｂが設置されている。
タクトスイッチ２１Ａ、２１Ｂは、プリント基板２の幅方向の中心を通る直線Ｌｍ上で、プリント基板２の長手方向に間隔をあけて設けられている。
タクトスイッチ２１Ａ、２１Ｂは、プリント基板２の長手方向の中心を通る直線Ｌｎを間に挟んで、対称となる位置関係で設けられている。
【００１３】
なお、直線Ｌｎと直線Ｌｍとは互いに直交している。プリント基板２の中心線Ｃは、直線Ｌｎと直線Ｌｍとの交点を通ると共に直線Ｌｎと直線Ｌｍに直交している。プリント基板２の中心線Ｃは、プリント基板２とカバー部材３との組付け方向に沿う直線でもある。
【００１４】
図２の（Ａ）に示すようにタクトスイッチ２１Ａ、２１Ｂは、プリント基板２側の下方に押圧されるとオン信号を出力するスイッチである。
カバー部材３は、プリント基板２の上面２ａを覆うカバー部３１と、カバー部３１の外周を全周に亘って囲む周壁部３２と、を有している。
図３の（Ａ）に示すようにカバー部３１は、第１ノブ４Ａ、第２ノブ４Ｂ側の上方から見て、プリント基板２の外形に整合する長方形形状を有している。
【００１５】
図２の（Ａ）に示すようにスイッチ装置１では、プリント基板２が、カバー部材３の周壁部３２に内嵌した状態で保持されている。この状態においてプリント基板２は、カバー部材３の内部に収容されている。さらに、プリント基板２と、カバー部材３のカバー部３１との間に、タクトスイッチ２１Ａ、２１Ｂを収容可能な空間Ｓａが形成されている。
【００１６】
カバー部３１には、開口部３３Ａ、３３Ｂが設けられている。
図２の（Ａ）に示すように、カバー部３１において開口部３３Ａ、３３Ｂは、それぞれタクトスイッチ２１Ａ、２１Ｂの上側に位置する領域に設けられている。
図３の（Ａ）に示すように、第１ノブ４Ａと第２ノブ４Ｂ側の上方から見て開口部３３Ａ、３３Ｂの内部には、タクトスイッチ２１Ａ、２１Ｂの上面２１１、２１１が露出している。
【００１７】
図５の（Ａ）に示すように、カバー部３１の上面には、ガイド部３４（第１ガイド部３４Ａ、第２ガイド部３４Ｂ）が設けられている。第１ガイド部３４Ａと第２ガイド部３４Ｂは、それぞれ開口部３３Ａ、３３Ｂを囲む筒状に形成されている。
第１ガイド部３４Ａと第２ガイド部３４Ｂは、カバー部３１から上方に延出している。第１ガイド部３４Ａと第２ガイド部３４Ｂは、カバー部３１から離れるにつれて互いに近づく方向に傾斜している。
【００１８】
図６の（Ａ）に示すように、カバー部材３を側方（直線Ｌｎ方向）から見ると第１ガイド部３４Ａと第２ガイド部３４Ｂの中心を通る軸線Ｌａ、Ｌｂ（第１の軸線、第２の軸線）は、カバー部材３（カバー部３１）の中心線Ｃに対して所定角度θ傾斜している。
【００１９】
図５の（Ｂ）に示すように、第１ガイド部３４Ａと第２ガイド部３４Ｂは、カバー部材３の長手方向（直線Ｌｍ方向）に間隔をあけて設けられている。第１ガイド部３４Ａと第２ガイド部３４Ｂは、カバー部材３の長手方向の中心を通る直線Ｌｎを間に挟んで対称に設けられている。
【００２０】
第１ガイド部３４Ａと第２ガイド部３４Ｂの各々は、直線Ｌｎに沿う互いに平行な側壁部３４１、３４２と、側壁部３４１、３４２の端部同士を接続する支持壁部３４３、３４４と、から筒状に形成されている。
第１ガイド部３４Ａの一方の側壁部３４１と、第２ガイド部３４Ｂの一方の側壁部３４１は、それぞれ、他方の側壁部３４２、３４２よりも直線Ｌｎ側に位置しており、直線Ｌｎを間に挟んで対称となる位置関係で設けられている。
第１ガイド部３４Ａの他方の側壁部３４２と、第２ガイド部３４Ｂの他方の側壁部３４２もまた、直線Ｌｎを間に挟んで対称となる位置関係で設けられている。
【００２１】
図６の（Ａ）に示すように、第１ガイド部３４Ａの側壁部３４１は、前記した軸線Ｌａに平行な直線Ｌａ１に沿って設けられている。第１ガイド部３４Ａの側壁部３４２は、前記した軸線Ｌａに平行な直線Ｌａ２に沿って設けられている。
【００２２】
第２ガイド部３４Ｂの側壁部３４１は、前記した直線Ｌｂに平行な直線Ｌｂ１に沿って設けられている。第２ガイド部３４Ｂの側壁部３４２は、前記した直線Ｌｂに平行な直線Ｌｂ２に沿って設けられている。
【００２３】
図５の（Ｂ）に示すように、第１ガイド部３４Ａの側壁部３４２と第２ガイド部３４Ｂの側壁部３４２では、直線Ｌｍと交差する位置の外周に、溝３４２ａ、３４２ａが設けられている。
図５の（Ａ）および図６の（Ｂ）（図６の（Ａ）のＡ-Ａ線の断面図）に示すように、溝３４２ａは、側壁部３４２の上端から、側壁部３４２とカバー部３１との境界部までの範囲に設けられている。
カバー部材３の長手方向（直線Ｌｍ方向）における溝３４２ａの奥行きＤ２は、側壁部３４２の上端から、側壁部３４２とカバー部３１との境界部まで同じである。
【００２４】
図５の（Ｂ）に示すように、第１ガイド部３４Ａの支持壁部３４３と支持壁部３４４は、直線Ｌｍを間に挟んで対称となる位置関係で設けられている。
第２ガイド部３４Ｂの支持壁部３４３と支持壁部３４４もまた、直線Ｌｍを間に挟んで対称となる位置関係で設けられている。
【００２５】
図６の（Ｂ）に示すように、支持壁部３４３と支持壁部３４４は、中心線Ｃを挟んで対称に位置する直線Ｃ１、Ｃ２に沿って設けられている。
図５の（Ｂ）に示すように、支持壁部３４３、３４４の外周には、溝３４３ａ、３４４ａが設けられている。
溝３４３ａ、３４４ａは、支持壁部３４３、３４４の上端から、支持壁部３４３、３４４とカバー部３１との境界部までの範囲に設けられている。
カバー部材３の幅方向（直線Ｌｎ方向）における溝３４３ａ、３４４ａの奥行きＤ１は、支持壁部３４３、３４４の上端から、支持壁部３４３、３４４とカバー部３１との境界部まで同じである。
【００２６】
図６の（Ａ）に示すように、第１ガイド部３４Ａの溝３４４ａと、第２ガイド部３４Ｂの溝３４４ａは、それぞれ、軸線Ｌａ、Ｌｂに沿って直線状に設けられている。第１ガイド部３４Ａの溝３４４ａと、第２ガイド部３４Ｂの溝３４４ａは、カバー部材３の長手方向の中心線Ｃを挟んで対称に設けられている。
カバー部材３の長手方向（直線Ｌｍ方向）におけるこれら溝３４４ａ、３４４ａの離間距離Ｌｘは、プリント基板２側の下方に向かうにつれて大きくなっている。
【００２７】
図５の（Ａ）において仮想線で示すように、第１ガイド部３４Ａの溝３４３ａと、第２ガイド部３４Ｂの溝３４３ａもまた、それぞれ軸線Ｌａ、Ｌｂに沿って直線状に設けられている。第１ガイド部３４Ａの溝３４３ａと、第２ガイド部３４Ｂの溝３４３ａは、カバー部材３の長手方向の中心線Ｃを挟んで対称に設けられている。
【００２８】
スイッチ装置１では、第１ノブ４Ａと第２ノブ４Ｂが、第１ガイド部３４Ａと第２ガイド部３４Ｂにおいて軸線Ｌａ、Ｌｂに沿う方向に移動可能に支持されている。
【００２９】
図２の（Ａ）に示すように、第１ノブ４Ａと第２ノブ４Ｂは、被押圧部４１と、被押圧部４１におけるカバー部材３側の下面から、カバー部材３側に延びる操作子４２と、被押圧部４１の外周を囲む周壁部４３と、を有している。
図１の（Ａ）に示すように、被押圧部４１は、ユーザの手指により押圧される部位であり、スイッチ装置１の上面に露出している。
【００３０】
図７の（Ａ）に示すように操作子４２は、被押圧部４１の略中央部からプリント基板２側の下方に延出する柱状の部材である。操作子４２は、周壁部４３の内側に位置している。
操作子４２の下端４２ａは、周壁部４３の下端４３ａよりもプリント基板２側の下方まで及んでいる。
【００３１】
図２の（Ａ）に示すように、操作子４２の下端４２ａは、カバー部材３の開口部３３Ａ、３３Ｂを貫通して、プリント基板２に設置されたタクトスイッチ２１Ａ、２１Ｂの上面２１１、２１１に載置されている。
本実施形態では、タクトスイッチ２１Ａ、２１Ｂの上面２１１、２１１は、操作子４２の延出方向に直交する平坦面（平滑面）となっている。
後記する第１ノブ４Ａと第２ノブ４Ｂの操作により、操作子４２、４２がタクトスイッチ２１Ａ、２１Ｂの上面２１１、２１１を摺動移動する際の抵抗を小さくするためである。
【００３２】
スイッチ装置１では、被押圧部４１、４１にユーザの手指による操作力が作用していない状態で、第１ノブ４Ａと第２ノブ４Ｂは、タクトスイッチ２１Ａ、２１Ｂから作用する付勢力で、被押圧部４１、４１の上面４１ａ、４１ａの高さが揃う位置に保持されている。
【００３３】
図７の（Ａ）のＡ-Ａ線の断面図である図７の（Ｂ）に示すように、周壁部４３では、直線Ｌｍを挟んで対向する領域の内周に、リブ４２３、４２４が設けられている。リブ４２３、４２４は、操作子４２を間に挟んで直線Ｌｎ方向で対向配置されている。
図７の（Ｂ）のＢ-Ｂ線の断面図である図７の（Ｃ）に示すように、リブ４２３、４２３は、前記した軸線Ｌａ、Ｌｂに沿って、被押圧部４１から周壁部４３の下端４３ａまで、直線状に設けられている。
【００３４】
直線Ｌｍを挟んでリブ４２３、４２３の反対側に位置するリブ４２４、４２４もまた、前記した軸線Ｌａ、Ｌｂに沿って、被押圧部４１から周壁部４３の下端４３ａまで、直線状に設けられている。
リブ４２３、４２４の直線Ｌｎ方向の幅Ｗ１は、被押圧部４１から周壁部４３の下端４３ａまで同じ幅に設定されている。
【００３５】
図７の（Ｂ）に示すように、周壁部４３では、第１ノブ４Ａと第２ノブ４Ｂの隣接方向に沿う直線Ｌｍと交差する位置に、リブ４２１、４２１が設けられている。
リブ４２１、４２１は、周壁部４３の内周から操作子４２、４２に近づく方向に、直線Ｌｍに沿って延びている。
【００３６】
図７の（Ａ）に示すように、リブ４２１、４２１は、被押圧部４１と周壁部４３とに跨がって設けられている。リブ４２１、４２１の直線Ｌｍ方向の幅Ｗ２、Ｗ２は、周壁部４３、４３の下端４３ａ、４３ａ側に向かうにつれて狭くなっている。
リブ４２１、４２１の操作子４２、４２側の側面４２１ａ、４２１ａは、前記した軸線Ｌａ２、Ｌｂ２（図６の（Ａ）参照）に平行な直線Ｌａ２’、Ｌｂ２’上に位置している。
【００３７】
スイッチ装置１では、カバー部材３の第１ガイド部３４Ａと第２ガイド部３４Ｂに、第１ノブ４Ａと第２ノブ４Ｂをそれぞれ組み付けると、第１ガイド部３４Ａと第２ガイド部３４Ｂの溝３４２ａ、３４３ａ、３４４ａに、第１ノブ４Ａと第２ノブ４Ｂ側のリブ４２１、４２３、４２４が係合するようになっている。
【００３８】
図３に示すように、この状態において、第１ノブ４Ａと第２ノブ４Ｂのリブ４２３、４２４は、第１ガイド部３４Ａと第２ガイド部３４Ｂの溝３４３ａ、３４４ａに係合している。
スイッチ装置１を側方から見ると、前記した軸線Ｌａ、Ｌｂ上で、リブ４２３、４２４が溝３４３ａ、３４４ａに係合している。
【００３９】
スイッチ装置１では、第１ノブ４Ａと第２ノブ４Ｂがプリント基板２側に押圧されると、第１ノブ４Ａと第２ノブ４Ｂ側のリブ４２３、４２４が、溝３４３ａ、３４４ａに沿って移動するようになっている。
この状態において、第１ノブ４Ａと第２ノブ４Ｂは、それぞれ第１ガイド部３４Ａと第２ガイド部３４Ｂで、軸線Ｌａ、Ｌｂ方向に移動可能に支持されている。
【００４０】
以下、スイッチ装置１の動作を説明する。
図２の（Ａ）に示すように、スイッチ装置１では、被押圧部４１、４１にユーザの手指による操作力が作用していない状態で、第１ノブ４Ａと第２ノブ４Ｂは、被押圧部４１、４１の上面４１ａ、４１ａの高さが揃う位置に保持されている。
【００４１】
スイッチ装置１において第１ノブ４Ａと第２ノブ４Ｂは、プリント基板２に直交する中心線Ｃに対して所定角度θ傾斜した軸線Ｌａ、Ｌｂ方向に移動可能に設けられている（図６（Ａ）参照）。
そのため、第１ノブ４Ａがプリント基板２側の下方に押圧されると、第１ノブ４Ａは、軸線Ｌａに沿って斜め下方に変位する。第２ノブ４Ｂがプリント基板２側の下方に押圧されると、第２ノブ４Ｂは、直線Ｌｂに沿って斜め下方に変位する。
【００４２】
ここで、第１ノブ４Ａの移動方向に沿う軸線Ｌａと、第２ノブ４Ｂの移動方向に沿う直線Ｌｂが、プリント基板２側の下方に向かうにつれて第１ノブ４Ａと第２ノブ４Ｂの隣接方向の離間距離Ｌｘが大きくなる向きに設定されている（図６の（Ａ）参照）。
【００４３】
そのため、例えば第２ノブ４Ｂが、プリント基板２側の下方に押圧されると、第２ノブ４Ｂのリブ４２３、４２４が、第２ノブ４Ｂを支持する第２ガイド部３４Ｂの溝３４３ａ、３４４ａに沿って、プリント基板２側に移動する。これにより、第２ノブ４Ｂは、第１ノブ４Ａから離れる方向に移動しながらプリント基板２側の下方に変位する。
【００４４】
この際に、第２ノブ４Ｂのリブ４２１が、第２ガイド部３４Ｂの溝３４２ａに係合していることで、押圧操作された第２ノブ４Ｂの直線Ｌｍに対する傾きが規制される。
これにより、プリント基板２側に移動する第２ノブ４Ｂが、ノブ４を囲む化粧板１００（図２の（Ａ）、仮想線参照）に干渉して、プリント基板２側への移動が阻害される事態の発生を好適に防止できる
【００４５】
そのため、ノブ４（第１ノブ４Ａ、第２ノブ４Ｂ）と、ノブ４を囲む化粧板１００との干渉を阻止しつつ、ノブ４と化粧板１００との隙間Ｗｄを狭くすることができるようになっている。
【００４６】
さらに、押圧操作された第２ノブ４Ｂがプリント基板２側に軸線Ｌｂに沿って移動すると、第２ノブ４Ｂの操作子４２の下端４２ａが、タクトスイッチ２１Ｂの上面２１１を摺動しながらプリント基板２側の下方に向けて変位して、タクトスイッチ２１Ｂがオンされる。
【００４７】
この際に、第１ノブ４Ａと第２ノブ４Ｂとの直線Ｌｍ方向の隙間が、幅Ｗａから幅Ｗｂまで増加する（図２の（Ａ）、（Ｂ）参照）。
そして、第２ノブ４Ｂは、プリント基板２側の下方に押圧された時点で、第１ノブ４Ａから離れる方向に移動する。そのため、第２ノブ４Ｂが第１ノブ４Ａと接触したままの状態で、プリント基板２側の下方に移動しない。これにより、第１ノブ４Ａが、移動する第２ノブ４Ｂに追従してプリント基板２側の下方に移動する事態の発生が防止されるようになっている。
【００４８】
ここで、スイッチ装置１では、第１ガイド部３４Ａと第２ガイド部３４Ｂの側壁部３４１と、第１ノブ４Ａと第２ノブ４Ｂの周壁部４３との間の隙間Ｗｃが、第１ノブ４Ａと第２ノブ４Ｂが中心線Ｃから離れる方向に移動する過程で、干渉しない間隔に設定されている。
【００４９】
すなわち、押圧操作されたノブに対応するタクトスイッチがオンされた時点で、押圧操作されたノブの周壁部４３と、押圧操作されたノブを支持するガイド部との間に隙間が残されるように設定されている。
ちなみに、図２の（Ｂ）では、押圧操作された第２ノブ４Ｂに対応するタクトスイッチ２１Ｂがオンされた時点で、押圧操作された第２ノブ４Ｂと、この第２ノブ４Ｂを支持する第２ガイド部３４Ｂとの間にＷｃ’の隙間が残されている。
【００５０】
前記したようにタクトスイッチ２１Ａ、２１Ｂの上面２１１が平滑面となっており、操作子４２の上面２１１での摺動移動が阻害されないようになっている。
操作子４２の上面２１１での摺動移動が阻害されると、かかる阻害が、ノブ４（第１ノブ４Ａ、第２ノブ４Ｂ）のプリント基板２側の下方への移動に対する抵抗となって、ノブ４の操作にユーザが違和感を持つ可能性がある。
上記のようにタクトスイッチ２１Ａ、２１Ｂの上面２１１を平滑面とすることで、かかる事態の発生を好適に防止している。
【００５１】
以上の通り、本実施形態にかかるスイッチ装置１は、以下の構成を有している。
（１）スイッチ装置１は、
第１の軸線Ｌａに沿ってプリント基板２（基板）側に移動可能な第１ノブ４Ａと、
第２の軸線Ｌｂに沿ってプリント基板２側に移動可能な第２ノブ４Ｂと、を有する。
スイッチ装置１では、第１ノブ４Ａと第２ノブ４Ｂとが、直線Ｌｍ方向で隣接配置されている。
第１の軸線Ｌａと第２の軸線Ｌｂは、プリント基板２側に向かうにつれて第１ノブ４Ａと第２ノブ４Ｂの隣接方向の離間距離Ｌｘが大きくなる向きに設定されている。
【００５２】
このように構成すると、第１ノブ４Ａと第２ノブ４Ｂのうちの一方がプリント基板２側に操作されると、操作された一方のノブ（第１ノブ４Ａと第２ノブ４Ｂのうちの一方）は、他方のノブ（第１ノブ４Ａと第２ノブ４Ｂのうちの他方）から離れる方向に変位しながら、プリント基板２に近づく方向に変位する。
第１の軸線Ｌａと第２の軸線Ｌｂとが互いに平行である場合には、第１ノブ４Ａと第２ノブ４Ｂを隣接して配置すると、第１ノブ４Ａと第２ノブ４Ｂの組み付け精度や作製上の誤差により、第１ノブ４Ａと第２ノブ４Ｂとが接触した状態で配置される場合がある。
かかる場合に、一方のノブが操作されると、他方のノブが、操作された一方のノブの移動に追従してプリント基板側に移動する場合が生じ得る。
【００５３】
上記のように構成すると、操作された一方のノブは、他方のノブから離れる方向に変位しながら、プリント基板２に近づく方向に変位する。そのため、第１ノブ４Ａと第２ノブ４Ｂとが接触した状態で配置された場合であっても、操作された一方のノブが、操作されていない他方のノブから速やかに離れつつ、プリント基板２側の下方に移動する。
これにより、操作された一方のノブの移動に追従して、他方のノブが基板側に移動することを防止できるので、第１ノブ４Ａと第２ノブ４Ｂとを、隣接方向（直線Ｌｍ方向）でより近づけて配置することが可能になる。
【００５４】
ここで、スイッチ装置の動作安定性を確保するために、隣接する２つのノブの間の隙間が広くなると、スイッチ装置の意匠上の制約が大きくなる結果、スイッチ装置のデザインの幅が狭くなる。
上記のように構成すると、第１ノブ４Ａと第２ノブ４Ｂとの間の隙間をより狭くすることができるので、スイッチ装置１のデザインの幅を広くすることができる。
【００５５】
（２）スイッチ装置１は、プリント基板２に組み付けられてプリント基板２の上面２ａを覆うカバー部材３を有している。
カバー部材３には、
第１ノブ４Ａを、第１の軸線Ｌａ方向に移動可能に支持する第１ガイド部３４Ａと、
第２ノブ４Ｂを、第２の軸線Ｌｂ方向に移動可能に支持する第２ガイド部３４Ｂと、が設けられている。
第１ノブ４Ａと第２ノブ４Ｂの隣接方向（直線Ｌｍ方向）の直交方向（直線Ｌｎ方向）から見て、第１ガイド部３４Ａには第１の軸線Ｌａに沿う溝３４３ａ、３４４ａが形成されている。第１ノブ４Ａは、第１ガイド部３４Ａの溝３４３ａ、３４４ａに係合するリブ４２３、４２４（突起）を有している。
第１ノブ４Ａは、第１ガイド部３４Ａの溝３４３ａ、３４４ａに係合させたリブ４２３、４２４（突起）により、第１の軸線Ｌａ方向に移動可能である。
第１ノブ４Ａと第２ノブ４Ｂの隣接方向（直線Ｌｍ方向）の直交方向（直線Ｌｎ方向）から見て、第２ガイド部３４Ｂには第２の軸線Ｌｂに沿う溝３４３ａ、３４４ａが形成されている。第２ノブ４Ｂは、第２ガイド部３４Ｂの溝３４３ａ、３４４ａに係合するリブ４２３、４２４（突起）を有している。
第２ノブ４Ｂは、第２ガイド部３４Ｂの溝３４３ａ、３４４ａに係合させたリブ４２３、４２４（突起）により、第２の軸線Ｌｂ方向に移動可能である。
【００５６】
このように構成すると、第１ノブ４Ａや第２ノブ４Ｂが操作されてプリント基板２側に移動する際のガタツキを抑制しつつ、第１ノブ４Ａや第２ノブ４Ｂを、軸線Ｌａ、Ｌｂに沿って移動させることができる。
ガタツキが大きくなると、操作された一方のノブが、操作されていない他方のノブに接触した状態でプリント基板２側に移動する場合が起こり得る。かかる場合、操作されていない他方のノブが、操作された一方のノブに追従してプリント基板２側に移動してしまう可能性がある。
上記のように構成すると、第１ノブ４Ａと第２ノブ４Ｂのガタツキを抑えて、第１ノブ４Ａと第２ノブ４Ｂとが接触することを好適に防止できる。これにより、操作されていない他方のノブが、操作された一方のノブに追従してプリント基板２側に移動してしまう事態の発生を好適に防止できる。
【００５７】
（３）第１ノブ４Ａと第２ノブ４Ｂの隣接方向（直線Ｌｍ方向）の直交方向（直線Ｌｎ方向）から見て、第１ガイド部３４Ａの溝３４３ａ、３４４ａと、第２ガイド部３４Ｂの溝３４３ａ、３４４ａは、第１ノブ４Ａと第２ノブ４Ｂの隣接方向の中心線Ｃを挟んで対称に設けられている。
【００５８】
このように構成すると、第１ノブ４Ａと第２ノブ４Ｂが操作されると、操作された一方のノブが、第１ノブ４Ａと第２ノブ４Ｂの隣接方向（直線Ｌｍ方向）で、操作されていない他方のノブから離れる方向に速やかに移動する。
これにより、操作されていない他方のノブが、操作された一方のノブに追従してプリント基板２側に移動してしまう事態の発生を好適に防止できる。
【００５９】
（４）第１ノブ４Ａと第２ノブ４Ｂは、それぞれ、
被押圧部４１と、
被押圧部４１におけるカバー部材３側（プリント基板２側）の面から、プリント基板２とカバー部材３との組付方向に延びる操作子４２と、
被押圧部４１の外周を囲む周壁部４３と、を有している。
カバー部材３には、開口部３３Ａ（第１開口部）と、開口部３３Ｂ（第２開口部）と、が設けられている。
カバー部材３の開口部３３Ａと開口部３３Ｂを、第１ノブ４Ａの操作子４２と第２ノブ４Ｂの操作子４２が、プリント基板２とカバー部材３との組み付け方向（中心線Ｃ方向）にそれぞれ貫通する。
第１ガイド部３４Ａは、開口部３３Ａを囲む筒状に形成されており、第１ガイド部３４Ａでは、直線Ｌｎ方向における開口部３３Ａの両側に位置する支持壁部３４３、３４４の外周に溝３４３ａ、３４４ａが形成されている。
第２ガイド部３４Ｂは、開口部３３Ｂを囲む筒状に形成されており、第２ガイド部３４Ｂでは、直線Ｌｎ方向における開口部３３Ｂの両側に位置する支持壁部３４３、３４４の外周に溝３４３ａ、３４４ａが形成されている。
【００６０】
このように構成すると、第１ノブ４Ａと第２ノブ４Ｂとの隣接方向（直線Ｌｍ方向）だけでなく、隣接方向に直交する方向（直線Ｌｎ方向）のガタツキを抑えることができる。第１ノブ４Ａと第２ノブ４Ｂのガタツキを抑えることができると、ノブ４（第１ノブ４Ａ、第２ノブ４Ｂ）を囲む化粧板１００（図２の（Ａ）、仮想線参照）との隙間をより狭くすることができる。これにより、スイッチ装置１の意匠性がより向上する。
【００６１】
（５）第１ノブ４Ａと第２ノブ４Ｂとの隣接方向（直線Ｌｍ方向）の直交方向（直線Ｌｎ方向）から見て、第１ガイド部３４Ａにおける第２ガイド部３４Ｂとは反対側の部位（側壁部３４２）は、軸線Ｌａ（第１の軸線）に平行な傾斜面となっている。
隣接方向の直交方向（直線Ｌｎ方向）から見て、第２ガイド部３４Ｂにおける第１ガイド部３４Ａとは反対側の部位（側壁部３４２）は、軸線Ｌｂ（第２の軸線）に平行な傾斜面となっている。
第１ガイド部３４Ａの傾斜面と、第２ガイド部３４Ｂの傾斜面には、それぞれ傾斜面の長手方向に沿う溝３４２ａ、３４２ａが設けられている。
第１ノブ４Ａと第２ノブ４Ｂには、傾斜面に設けた溝３４２ａ、３４２ａに係合するリブ４２１、４２１（突起）が設けられている。
【００６２】
このように構成すると、第１ノブ４Ａと第２ノブ４Ｂとの隣接方向（直線Ｌｍ方向）に直交する方向（直線Ｌｎ方向）から見ると、第１ガイド部３４Ａの傾斜面と第２ガイド部３４Ｂの傾斜面は、プリント基板２に近づくにつれて隣接方向（直線Ｌｍ方向）の離間距離が大きくなる向きで傾斜している。
これら傾斜面に設けた溝３４２ａ、３４２ａに、リブ４２１、４２１を係合させた第１ノブ４Ａおよび第２ノブ４Ｂは、それぞれ第２ノブ４Ｂ側と第１ノブ４Ａ側への移動が規制された状態でプリント基板２側の斜め下方に移動する。
これにより、第１ノブ４Ａと第２ノブ４Ｂが操作された際に、操作された一方のノブが、操作されていない他方のノブに接触することを確実に防止できる。
これにより、操作されていない他方のノブが、操作された一方のノブに追従してプリント基板２側に移動してしまう事態の発生を好適に防止できる。
また、操作されたノブ４がプリント基板２側の斜め下方に移動する際に、傾斜面に設けた溝３４２ａにリブ４２１が係合していることで、第１ノブ４Ａと第２ノブ４Ｂとの隣接方向（直線Ｌｍ）に対する傾きを規制できる。
【００６３】
（６）第１ノブ４Ａの操作子４２と第２ノブ４Ｂの操作子４２は、それぞれ、カバー部材３の内側で、プリント基板２上に設置されたタクトスイッチ２１Ａ、２１Ｂに載置されている。
タクトスイッチ２１Ａ、２１Ｂにおける操作子４２、４２が載置された領域（上面２１１、２１１）は、操作子４２、４２の隣接方向への摺動移動を可能にする平坦面となっている
【００６４】
第１ノブ４Ａと第２ノブ４Ｂが操作されると、ノブ４の操作子４２は、プリント基板２側の斜め下方に変位する。この際に、ノブ４の操作子４２は、タクトスイッチ２１Ａ、２１Ｂにおける操作子４２が載置された領域（上面２１１）を隣接方向に摺動する。
タクトスイッチ２１Ａ、２１Ｂにおける操作子４２が載置された領域（上面２１１）の摩擦抵抗が大きいと、ノブ４の操作子４２の摺動移動に支障が生じる。そうすると、ノブ４の操作子４２の摺動移動に対する支障が、第１ノブ４Ａと第２ノブ４Ｂの押圧操作に対する抵抗となって、ノブ４を操作したユーザが違和感を持つ可能性がある。
上記のように構成すると、ノブ４の操作子４２の摺動移動をスムーズに行うことができるので、ノブ４を操作したユーザが違和感を持つ事態の発生を好適に防止できる。
【００６５】
前記した実施形態では、第１の軸線Ｌａと第２の軸線Ｌｂとが、中心線Ｃに対して同じ角度θずつ傾いている場合を例示した。
第１の軸線Ｌａの中心線Ｃに対する傾きと、第２の軸線Ｌｂの中心線Ｃに対する傾きは必ずしも同じである必要はなく、異なる角度であっても良い。
【００６６】
隣接する１つのノブのうちの一方をプリント基板側に押圧操作した際に、押圧された一方のノブが他方のノブから隣接方向で離れる方向に移動しつつ、プリント基板側の下方に辺にできれば、軸線Ｌａ、Ｌｂの中心線Ｃに対する傾きは適宜設定可能である。
【００６７】
以上、本願発明の実施形態および変形例を説明したが、本願発明は、これらのものに限定されるものではなく、発明の技術的な思想の範囲内で適宜変更可能である。
【符号の説明】
【００６８】
１      スイッチ装置
２      プリント基板
２１Ａ、２１Ｂ  タクトスイッチ
２１１  上面
３      カバー部材
３１    カバー部
３２    周壁部
３３Ａ、３３Ｂ  開口部
３４    ガイド部
３４Ａ  第１ガイド部
３４Ｂ  第２ガイド部
３４１、３４２  側壁部
３４２ａ  溝
３４３、３４４  支持壁部
３４３ａ、３４４ａ  溝
４      ノブ
４Ａ    第１ノブ
４Ｂ    第２ノブ
４１    被押圧部
４１ａ  上面
４２    操作子
４２ａ  下端
４２１  リブ
４２１ａ  側面
４３    周壁部
４３ａ  下端
４２３  リブ
１００  化粧板
Ｃ      中心線
Ｃ１、Ｃ２    直線
Ｌａ、Ｌｂ    軸線
Ｌａ１、Ｌａ２、Ｌａ２’  直線
Ｌｂ１、Ｌｂ２、Ｌｂ２’  直線
Ｌｍ、Ｌｎ    直線
Ｌｘ    離間距離
Ｓａ    空間
【図１】
2020174025.tif 000003
【図２】
2020174025.tif 000004
【図３】
2020174025.tif 000005
【図４】
2020174025.tif 000006
【図５】
2020174025.tif 000007
【図６】
2020174025.tif 000008
【図７】
2020174025.tif 000009